【事件の表示】
　特願２００８−３１６９２０「カードフラット針布を有する少なくとも１つのカードフラットが設けられた、綿や合成繊維などのためのカーディング機械における装置」拒絶査定不服審判事件〔平成２１年　７月　２日出願公開、特開２００９−１４４３１５〕について、次のとおり審決する。
【結　論】
　本件審判の請求は、成り立たない。
【理　由】
１．手続の経緯
　本願は、平成２０年１２月１２日（パリ条約による優先権主張２００７年１２月１４日、ドイツ連邦共和国）の出願であって、平成２５年４月２６日付けで拒絶査定がなされ、これに対して同年５月２９日付けで拒絶査定不服審判の請求がなされ、当審において同年８月２２日付けで拒絶理由（以下「当審拒絶理由」という。）が通知され、同年１０月１１日付けで意見書及び手続補正書が提出されたものである。
　
２．当審拒絶理由の概要
 当審拒絶理由は、大要、次のとおりである。なお、当審拒絶理由を通知した時点では、本願の請求項は１ないし３０の合計３０項であったが、平成２５年１０月１１日付け手続補正によって、請求項は１ないし２２の合計２２項に補正された。
 
［理由１］この出願の請求項１〜３０に係る発明は、その出願前に日本国内又は外国において頒布された下記《引用文献等一覧》の刊行物に記載された発明に基いて、その出願前にその発明の属する技術の分野における通常の知識を有する者が容易に発明をすることができたものであるから、特許法第２９条第２項の規定により特許を受けることができない。
　　　引用文献等一覧
　　　１．特開２００５−６８６３４号公報
　　　２．特表２００３−５３５７０７号公報
　　　３．特開平５−２９６２９３号公報
　
［理由２］この出願は、特許請求の範囲及び明細書の記載が、特許法第３６条第４項第１号並びに第６項第１号及び第２号に規定する要件を満たしていない。
　
３．本願発明
　本願の請求項１に係る発明（以下「本願発明」という）は、平成２５年１０月１１日付け手続補正によって補正された特許請求の範囲、明細書及び図面の記載からみて、以下のとおりのものと認められる。
　
「【請求項１】
　カードフラット針布を有する少なくとも１つのカードフラットが設けられ、前記カードフラット針布は前記カードフラットに取り付けられており、ローラに対向して配置されており、前記カードフラットと前記カードフラット針布との間に取り付け手段が設けられている、カーディング機械における装置において、
　少なくとも１つの面ファスナ（２７，２８）が、前記カードフラット（１４）と、前記カードフラット針布（２４）の、前記カードフラット（１４）に面する領域との間に設けられており、
　前記面ファスナは、複数のフックが配置されるフック連結層を含む第１のストリップと、該フック連結層に対向するフリース連結層を含む第２のストリップとを含んでおり、前記第１のストリップが前記カードフラットに設けられると共に、前記第２のストリップが前記カードフラット針布に設けられており、
　さらに、前記カードフラットと前記カードフラット針布との間に配置された補償層を具備し、該補償層は、プラスチック材料または合成樹脂から形成されていて、前記カードフラットと前記カードフラット針布との間の間隔の不均一性を補償することを特徴とする装置。」
　
　なお、平成２５年１０月１１日付け手続補正によって補正された特許請求の範囲の請求項１において、「前記プラスチック材料」という記載があるが、「プラスチック材料」という事項は前記されていないから、当該記載は「プラスチック材料」の誤記であると認め、上記のとおり本願発明を認定する。
　
４．当審拒絶理由の［理由１］について
（１）刊行物の記載事項
　当審拒絶理由で引用された、本願の優先日前に頒布された刊行物である特開２００５−６８６３４号公報（以下「刊行物１」という。）には、以下の事項が記載されている。（審決注：下線は当審による。）
　
１ａ「【請求項１】
　
カードトップ針布を有する少なくとも１つのカードトップバーが設けられていて、該カードトップ針布がシリンダの針布と向き合うように位置決めされており、少なくともカードトップバーに面したカードトップ針布の領域が鉄系材料、特に鋼で作られている、木綿、合成繊維などのためのカードの構造において、　カードトップバー（１４）とカードトップ針布（２４；２４
１
，２４
２
）のカードトップバー（１４）に面した領域（２６’）の間に少なくとも１つの磁石部材（２９；２９
ａ
〜２９
ｎ
）が設けられていることを特徴とする構造。
【請求項２】
　
磁石部材がカードトップバーに固定されていることを特徴とする請求項１に記載の構造。
・・・（中略）・・・
【請求項６】
　
磁力が、布に作用する力、例えばカーディング力、回転クリーニングローラなどの力より大きいことを特徴とする請求項１〜５のいずれかに記載の構造。
【請求項７】
　
針布が磁石部材から取り外し可能であることを特徴とする請求項１〜６のいずれかに記載の構造。
【請求項８】
　
針布が固定要素としての磁石部材によってカードトップバーに結合させられていることを特徴とする請求項１〜７のいずれかに記載の構造。
【請求項９】
　
針布が磁石部材から可逆的に取り外し可能であることを特徴とする請求項１〜８のいずれかに記載の構造。
・・・（中略）・・・
【請求項１１】
　
補償層がカードトップバーとカードトップ針布の間に存在し、該補償層がカードトップバーとカードトップ針布の間の異なる隙間を補償できるようになっていることを特徴とする請求項１〜１０のいずれかに記載の構造。
【請求項１２】
　
補償層が、カードトップ針布の裏面とカードトップバー脚部表面の間の異なる隙間を補償できるようになっていることを特徴とする請求項１〜１１のいずれかに記載の構造。
・・・（中略）・・・
【請求項２５】
　
プラスチック材料、人工樹脂、例えばエポキシ樹脂などが補償物質として設けられていることを特徴とする請求項１〜２４のいずれかに記載の構造。
　
１ｂ「【０００１】
　
本発明は、カードトップ針布を有する少なくとも１つのカードトップバーが設けられていて、そのカードトップ針布がカードトップバーに固定され、ローラ、例えばシリンダの針布と向き合うように位置決めされており、少なくともカードトップバーに面した針布の領域が鉄系材料、特に鋼で作られている、木綿、合成繊維などのためのカードの構造に関する。
【背景技術】
【０００２】
　周知の装置（ＵＳ３１５１３６２）では、カードトップバーは、背部と、脚部表面を有するキャリヤ本体（キャリヤ）とからなる。脚部表面（布を収納する部分）には、脚部表面の縦方向に延びる全体鋼の針布または針布ストリップ（たわみ性のある針布）である。全体が鋼の針布は、互いに隣接するように配置された多数の鋸歯ワイヤ部分からなる。針布ストリップは、複数の繊維層からなるキャリヤ部材を包含し、その中に多数の小さなワイヤフック（針布の先端）が固定されている。各々のケースにおいて針の先端から離れているスチール針布の領域は、カードトップバーと結合している。針布ストリップは、キャリヤ本体の長手側に沿って２つのクランプ（ブラケット、クリップ）によって固定されている。クランプは、その一端をもって針布ストリップの縦方向に向けられたエッジ領域を包囲し、他端をもってキャリヤ本体の凹部と噛み合う。実際のところ、クランプは、一方の縦方向エッジが繊維材料に切り込むシートメタルストリップからなる。組み立てると、針布ストリップの繊維材料は、カードトップバーのキャリヤ本体に固定され、かなりの応力のもとで強制的に嵌合させられる。その工程において、クランプは引張力を発揮し、繊維材料が脚部表面から遠ざかる形で凸形に変形し、それで、外向きの針の先端も、望ましくないことに凸面上に配列されたような形になる。非使用時、出来上がった状態のカードトップアセンブリは、高さ精度および平坦度が０．０５ｍｍである。使用時、アセンブリの高さの差異は約０．２ｍｍに増大する。針布を機械で鋭利に仕上げても、精度は取るに足らぬほどしか向上しない。約４００ｔの繊維材料を処理した後、カードトップ針布は交換しなければならないほど摩耗している。シートメタルステープルを外すため、カードトップバーをクランプで保持し、強制嵌合をレバーとペンチで解除する。組立と分解の間に生じるかなりの力は、カードトップバーの寸法安定性に悪影響を及ぼす。
【発明の開示】
【０００３】
　よって、
本発明の課題は、上に挙げた欠点を回避し、寸法安定性にすぐれた針布付きカードトップバーを特に単純な仕方で得ることができるようにし、より単純かつ迅速な針布替え（針布交換）を可能にする、冒頭に挙げた種類のカードの構造を提供することである。
【０００４】
　
この課題は、請求項１の特徴によって解決される。
【０００５】
　
この解決により、針布ストリップ（設定構造に応じて配置されたキャリヤ層とワイヤ）をカードトップバーに簡単に着座させることが可能となり、加えて、いかなる損傷も生じさせることなくその交換を行うことも可能となる。例えば、針布が摩耗したとき、交換すべき針布ストリップを容易に取り外すことができ、本発明による針布が着座した無傷のカードトップバーを新しい針布ストリップのために使用することができる。
【０００６】
　請求項２〜６０は、本発明の有利な発展形態を含む。
【発明を実施するための最良の形態】
【０００７】
　以下、本発明を図面に示す実施例に則して詳細に説明する。
【０００８】
　図１は、フィードローラ１、フィードテーブル２、リッカイン３ａ、３ｂ、３ｃ、
シリンダ４
カードトップバー１４
【０００９】
　図２によれば、複数の調整ねじを備えたフレキシブルベンド１７が、機械フレームワークの各側に横からねじで締結されている。フレキシブルベンド１７は、凸形外面１７ａおよび下面１７ｂを有する。フレキシブルベンド１７の上方に、例えば褶動可能なプラスチック材料で作られたスライドウェイ２０があり、これは凸形外面２０ａおよび凹形内面２０ｂを有する。凹形内面２０ｂはフレキシブルベンド１７の凸形外面１７ａに載っている。アルミニウムから押し出し成形されたカードトップバー１４は、キャリヤ本体１４ｃと、その両端にカードトップ脚部１４ａを有し、２本のスチール（鋼）ピン１８がカードトップ脚部１４ａに軸方向で締結され、スチールピン１８はスライドウェイ２０の凸形外面２０ａの上を矢印Ｃの方向に褶動する。カードトップ針布２４は、カードトップ脚部１４ａの下面に取り付けられている。参照番号２３は、カードトップ針布２４の先端によって形成された円を表す。
【００１０】
　シリンダ４は、その周囲にシリンダ針布４ａ、例えば鋸歯針布４ａを有する。参照番号２２は、シリンダ針布４ａの先端によって形成された円を表す。カードトップ針布２４の先端が形成する円２３とシリンド針布４ａの先端が形成する円２２の間の距離は参照文字ａで表され、例えば０．０５mm（２／１０００”）である。凸形外面２０ａと円２２の間の距離は参照文字ｂで表される。凸形外面２０ａの可変半径は参照文字ｒ１で表され、円２２の一定半径は参照文字ｒ２で表される。半径ｒ２は、シリンダ４の中心Ｍ（図１参照）を通る。参照番号１４ｃは、カードトップバーの背側を表す。参照番号１９は、カードトップバーのピン１８と噛み合い且つ、カードトップバー１４のための駆動ベルト（図示されていない）に接続されたクランプ部材を表す。
【００１１】
　図３によれば、カードトップ針布２４は、針布チップ２６（小さなワイヤフック）および繊維材料のキャリヤ部材２５からなる。小さなワイヤフック２６は、ほぼＵ字形をなし、かつ、表面２５’から押し通すことによってキャリヤエレメント２５に固定される。小さなワイヤフック２６の丸く曲げられた領域２６’は、表面２５’の上に突き出る。針布の先端と呼ぶべきワイヤフック２６の先端は、自由である。ワイヤフック２６はスチールワイヤ（鋼線）で作られている。
【００１２】
　図４によれば、２つのウェブ１４ｄ、１４ｅがカードトップ脚部１４ａに縦方向で側部に配置されており、脚部表面１４ｂ（図７参照）の領域内に、２段凹部１４ｆ１、１４ｆ２（図６、７参照）が設けられている。その結果、カードトップ針布２４２は保持され、保護され、埋設される。上方の凹部１４ｆ１には磁石部材２９、例えば磁石テープ、磁石ストリップ、磁石バーなどが配置され、接着剤層３０によって脚部表面１４ｂ１に固定されている。下方の凹部１４ｆ２には、鋼カセット２７によって所定の位置に保持された多数のオールスチールの鋸歯針布ストリップ２８からなるカードトップ針布２４２が配置されている。カードトップ針布２４２は、針布の自由な布先端（歯先）から遠い側の領域が所定の位置で磁石部材２９に固定され、または保持されている。
【００１３】
　図５および図６に示した実施例では、カードトップ針布２４１は、小さなワイヤフック２６およびキャリヤ部材２５からなる（図３参照）。図５は組み立てられた状態のカードトップバー１４およびカードトップ針布２４１を示し、カードトップ針布２４１またはその丸く曲げられた領域２６’が磁石部材２９によってしっかりと保持されているので、運転中のカードにおいてカードトップ針布２４１に作用する力でもってカードトップ針布２４１を磁石部材２９から引き離すことはできないようになっている。図６によれば、カードトップ針布２４１は、磁石部材２９から分離されており、例えばワイヤフック２６の摩耗、損傷などの場合に凹部１４ｆ２から取り外される。磁石部材２９からの分離は、保持磁力を克服できる適当な工具を使って行うことができる。分離はまた、カードの運転中、カードトップバー１４が反対側に戻る間に行うこともできる（図１の矢印Ｄ１参照）。
【００１４】
　図７は、脚部表面１４ｂ１を有する凹部１４ｆ１と、脚部表面１４ｂ２を有する凹部１４ｆ２とからなる２段凹部の一部分を示す。図４、図５、図６、図７から分かる通り、凹部１４ｆ１の幅は凹部１４ｆ２の幅より小さい。
【００１５】
　図８によれば、例えばアルミニウムから作られたシートメタルの２つの部材３１ａ、３１ｂがウェブ１４ｄ、１４ｅに長手方向で外側に取り付けられており、この部材３１ａ、３１ｂの自由端領域が、ウェブ１４ｄ、１４ｅの下領域を中心として反対方向（３１ａ’反時計回り、３１ｂ’時計回り）に直角に曲げられている。図８に示した位置では、向かい合わせに曲げられた領域３１ａ’、３１ｂ’が、カードトップ針布２４１のキャリヤ部材２５を付加的に保持する働きをする。カードトップ針布２４１を磁石部材２９から引き離す前に、この端領域は開く方向（３１ａ’時計回り、３１ｂ’反時計回り）に９０°曲げられる。部材３１ａ、３１ｂはまた、クリップの形の弾性体として形成することもできる。
【００１６】
　
図９は、針布（磁石部材２９）の単純化された着座の実施例を示し、ここでは、補償層３２を追加的に備え、それによって、より高いカードトップ精度およびより大きい着座面積を得ることができるようになっている。補償層３２は、有利には接着剤層であり、シートメタル、例えばシートスチールの部材３３が補償層３２に固定され、部材３３が、磁石２９と接触している。磁石部材２９は、横向きのねじ３４ａ、３４ｂによってカードトップ脚部１４ａに固定されている。
【００１７】
　図１０は、長く伸びた帯状の磁石部材２９を示す。図１１によれば、この磁石部材は、複数または多数の磁石２９ａ〜２９ｎからなる。
・・・（中略）・・・
【００２１】
　
本発明は、針布をカードトップバー１４に配置させ、加えて、損傷なしに交換できるようにする単純化された構造を提供する。本発明によれば、針布（設定構造に応じて配置されたキャリヤ層とワイヤ）をカードトップバー１４に単純な形で配置させることも、損傷なしに交換することも可能となる。例えば針布が摩耗した場合、交換すべき針布のストリップを容易に取り外すことができ、針布を付けた無傷のカードトップバー１４を新しい針布のストリップとして使用することができる。
有利には、従来技術において知られた針布のストリップの使用に加えて、カードトップバーの磁石と接触させられたシートメタルの部材が接着性の補償層を介して付加的に固定された改良型の針布のストリップを使用することも可能である。その補償層と付加的なシートメタルの部材の有利な点は、カードトップがより高い精度で製作でき、磁気接触の表面積が増大することにある。
　
１ｃ　上記１ａ及び１ｂの記載並びに図９により、
カードトップバー１４に磁石部材２９が固定されており、カードトップ針布２４
１
が補償層３２を備え、シートスチールの部材３３が補償層３２に固定され、部材３３が磁石２９と接触するように、カードトップバー１４にカードトップ針布２４
１
が取り付けられている、カードにおける装置、
が記載されていることが理解される。
（なお、図９において、符号「３２」及び「３３」が同一の部材に付されているが、上記１ｂ【００１６】の「補償層３２は、有利には接着剤層であり、シートメタル、例えばシートスチールの部材３３が補償層３２に固定され、部材３３が、磁石２９と接触している。」との記載を参酌すると、図９において符号「３３」が付される部材は、正しくは補償層３２と磁石２９との間の部材であるべきであり、図９において符号「３３」の付与箇所に誤記があることが明らかである。）
　
　上記記載から、刊行物１には次の発明（以下「刊行物１発明」という。）が記載されていると認められる。
　
「カードトップ針布（２４１）を有する少なくとも１つのカードトップバー（１４）が設けられていて、該カードトップ針布（２４１）がシリンダの針布と向き合うように位置決めされており、
　カードトップバー（１４）に磁石部材（２９）が固定されており、カードトップ針布（２４１）が補償層（３２）を備え、シートスチールの部材（３３）が補償層（３２）に固定され、シートスチールの部材（３３）が磁石部材（２９）と接触するように、カードトップバー(１４)にカードトップ針布（２４１）が取り外し可能に取り付けられており、補償層（３２）がカードトップバー（１４）とカードトップ針布（２４１）の間の異なる隙間を補償できるようになっている、カードにおける装置。」
　
（２）対比
　本願発明と刊行物１発明とを対比する。
　刊行物１発明における
「カードトップ針布（２４１）」、「カードトップバー（１４）」、「シリンダ」及び「カード」は、それぞれ本願発明における「カードフラット針布」、「カードフラット」、「ローラ」及び「カーディング機械」に相当する。
　刊行物１発明における「該カードトップ針布（２４１）がシリンダの針布と向き合うように位置決めされており」という事項は、本願発明における「カードフラット針布」が「ローラに対向して配置されており」という事項に相当する。
　刊行物１発明において、「カードトップバー（１４）に磁石部材（２９）が固定されており」及び「カードトップ針布（２４１）が補償層（３２）を備え、シートスチールの部材（３３）が補償層（３２）に固定され、シートスチールの部材（３３）が磁石部材（２９）と接触するように、カードトップバー（１４）にカードトップ針布（２４１）が取り外し可能に取り付けられており」という事項から、「補償層（３２）」は、カードトップバー（１４）とカードトップ針布（２４１）との間に配置されていることは明らかである（図９参照）。
　刊行物１発明において、カードトップバー（１４）とカードトップ針布（２４１）との取り付けは、カードトップバー（１４）に固定された磁石部材（２９）とカードトップ針布（２４１）に補償層（３２）を介して固定されたシートスチールの部材（３３）との間に働く磁力によるものであることは、技術常識から明らかである。したがって、刊行物１発明における「磁石部材（２９）」及び「シートスチールの部材（３３）」は、カードトップバー（１４）とカードトップ針布（２４１）との間に設けられた「取り付け手段」であるといえる。
　刊行物１の「図９は、針布（磁石部材２９）の単純化された着座の実施例を示し、ここでは、補償層３２を追加的に備え、それによって、より高いカードトップ精度およびより大きい着座面積を得ることができるようになっている。」（上記（１）１ｂ【００１６】参照）との記載及び図９から、刊行物１発明における「補償層（３２）」は、カードトップバー（１４）とカードトップ針布（２４１）との間の間隔の不均一性を補償する機能を有していることが明らかである。よって、刊行物１発明における「補償層（３２）がカードトップバー（１４）とカードトップ針布（２４１）の間の異なる隙間を補償できるようになっている」という事項は、本願発明における「該補償層は」「前記カードフラットと前記カードフラット針布との間の間隔の不均一性を補償する」という事項に相当する。
　したがって、本願発明と刊行物１発明とは、次の一致点で一致し、相違点１及び２で相違する。
　
［一致点］
「カードフラット針布を有する少なくとも１つのカードフラットが設けられ、前記カードフラット針布は前記カードフラットに取り付けられており、ローラに対向して配置されており、前記カードフラットと前記カードフラット針布との間に取り付け手段が設けられている、カーディング機械における装置において、
　前記カードフラットと前記カードフラット針布との間に配置された補償層を具備し、該補償層は、前記カードフラットと前記カードフラット針布との間の間隔の不均一性を補償する装置。」
　
［相違点１］
　「取り付け手段」が、本願発明においては、
「少なくとも１つの面ファスナ（２７，２８）が、前記カードフラット（１４）と、前記カードフラット針布（２４）の、前記カードフラット（１４）に面する領域との間に設けられており、
　前記面ファスナは、複数のフックが配置されるフック連結層を含む第１のストリップと、該フック連結層に対向するフリース連結層を含む第２のストリップとを含んでおり、前記第１のストリップが前記カードフラットに設けられると共に、前記第２のストリップが前記カードフラット針布に設けられており、」
であるのに対して、刊行物１発明においては、
「カードトップバー（１４）に磁石部材（２９）が固定されており、カードトップ針布（２４１）が補償層（３２）を備え、シートスチールの部材（３３）が補償層（３２）に固定され、シートスチールの部材（３３）が磁石部材（２９）と接触するように、カードトップバー(１４)にカードトップ針布（２４１）が取り外し可能に取り付けられており」
である点。
　
［相違点２］
　補償層について、本願発明においては、「プラスチック材料または合成樹脂から形成されていて」という限定がされているのに対し、刊行物１発明においては、そのような限定はされていない点。
　
（３）相違点についての検討
ア　相違点１について
　刊行物１発明において、カードトップバー（１４）とカードトップ針布（２４１）とは、カードトップバー（１４）に固定された磁石部材（２９）とカードトップ針布（２４１）に補償層（３２）を介して固定されたシートスチールの部材（３３）との間に働く磁力によって取り付けられる。刊行物１発明におけるこの構成は、寸法安定性にすぐれた針布付きカードトップバーを特に単純な仕方で得ることができるようにし、より単純かつ迅速な針布替え（針布交換）を可能にするためと認められる（上記（１）１ｂ【０００３】参照）。そして、刊行物１発明において、前記磁力の大きさは、運転中のカードにおいてカードトップ針布（２４１）に作用する力でもってカードトップ針布（２４１）を磁石部材（２９）から引き離すことはできないような大きさであり、かつ、例えばワイヤフックの摩耗、損傷などの場合に、磁石部材２９から、保持磁力を克服できる適当な工具を使って分離できるような大きさに設定される（上記（１）１ｂ【００１３】参照）。
　刊行物１発明において、カードトップバー(１４)とカードトップ針布（２４１）とを取り付ける取り付け手段は、寸法安定性にすぐれた針布付きカードトップバーを単純な仕方で得ることができ、単純かつ迅速な針布交換を可能にでき、運転中のカードにおいてカードトップ針布２４１に作用する力でもってカードトップ針布２４１がカードトップバーから引き離されず、かつ、必要な場合にカードトップ針布２４１をカードトップバーから分離できるように保持力を設定できる取り外し可能な取り付け手段であれば、磁石部材（２９）とシートスチールの部材（３３）とからなる取り付け手段に限られず、他の取り付け手段に変更可能であることは当業者にとって明らかである。
　ここで、複数のフックが配置されるフック連結層を含む第１のストリップと、該フック連結層に対向するループ要素を含む第２ストリップとを含んでなる面ファスナは、例えば、当審拒絶理由で引用した特表２００３−５３５７０７号公報（以下「刊行物２」という。段落００３９〜００４０）及び特開平５−２９６２９３号公報（以下「刊行物３」という。段落０００７〜００１３）に記載されており、本願の優先日前に周知である。すなわち、刊行物２には、研削／研磨ゾーンが取り外し可能に取り付けられた研削／研磨シートについて、「【００４０】研削／研磨ゾーンの１つあるいはそれ以上は、接着剤層、
ベルクロとして一般に知られるループとフック
磁力
　したがって、刊行物１発明におけるカードトップバー(１４)にカードトップ針布（２４１）を取り付ける手段である磁石部材（２９）とシートスチールの部材（３３）とからなる取り付け手段を、周知の面ファスナを用いた取り付け手段に変更することは、当業者が容易に想到し得ることである。その際、面ファスナにおけるフック連結層を含む第１のストリップとループ要素を含む第２ストリップとを、それぞれカードトップバー(１４)とカードトップ針布（２４１）のどちら側に設けるかは当業者が任意に設定し得ることである。
　よって、上記相違点１に係る本願発明の構成は、刊行物１発明及び周知の事項に基づいて当業者が容易に想到し得ることである。
　
イ　相違点２について
　刊行物１には、「プラスチック材料、人工樹脂、例えばエポキシ樹脂などが補償物質として設けられている」（上記（１）１ａ【請求項２５】参照）と記載されており、補償層をプラスチック材料又は合成樹脂から形成することが示唆されている。
　したがって、刊行物１発明において、補償層（３２）をプラスチック材料又は合成樹脂から形成して、上記相違点２に係る本願発明の構成とすることは、刊行物１の記載に基づいて当業者が容易に想到し得ることである。
　
ウ　まとめ
　本願発明によって、当業者が予期し得ない格別顕著な効果が奏されるとは認められず、相違点１及び相違点２を総合判断しても、本願発明は当業者が容易に発明をすることができたものといわざるを得ない。
　
　請求人は、平成２５年１０月１１日付け意見書において、「刊行物２、３は本発明の「カーディング機械における装置」とは全く異なる技術分野に属するものである。したがって、これら刊行物２、３は本発明を拒絶する根拠にはなりえない。」（【意見の内容】（４））と主張している。
　しかしながら、面ファスナは、周知例として挙げた刊行物２及び３に記載されている技術分野のみならず、取り外し可能な取り付け手段として種々の技術分野で採用されているものである。そして、カーディング機械において、針布の交換を迅速かつ容易に行うという課題は刊行物１（上記１ａ【０００３】〜【０００５】、【００２１】）に記載されているのであるから、カーディング機械の分野において、取り外し可能な取り付け手段として面ファスナを採用することは、当業者が容易に想到し得ることである。
　よって、請求人の上記主張は失当であり採用できない。
　
　以上のとおり、本願発明は、刊行物１発明、周知の事項及び刊行物１に記載された事項に基づいて、当業者が容易に発明をすることができたものであり、特許法第２９条第２項の規定により特許を受けることができない。
　
５　結び
　以上のとおり、当審拒絶理由の［理由１］は妥当であるから、［理由２］について検討するまでもなく、本願は拒絶されるべきものである。
　よって、結論のとおり審決する。